(57)【要約】  【課題】パンチの底面カバーにある係止爪周辺のスリットやヒンジ部の隙間などから用紙の抜きカスがこぼれることを防止する。  【解決手段】パンチの底面カバー17の内部に左右一対の隔壁27, 28を設けて、外側の係止爪29, 30やボスなどと中央の抜きカス収容部26とを仕切る。前カバー部20の隔壁27と後ろカバー部21の隔壁28の相互に対向する端部からそれぞれ側壁へ連続する横隔壁31, 32を設け、横隔壁の対向面に縦リブ33を設ける。抜きカス収容部と係止爪などを隔壁と横隔壁とによって仕切っているので、用紙の抜きカスが係止爪周辺のスリットなどから外部へ落ちることがない。また、対向する横隔壁の間に抜きカスが入っても、縦リブに引っ掛かるため、抜きカスの漏れ出しをほぼ完全に防止できる。【選択図】図2
2006198728.tif 000002
【特許請求の範囲】
【請求項１】
パンチの抜きカスを受ける樹脂製底面カバーであって、前カバー部とヒンジ部と後ろカバー部とからなり、周辺部に形成した係止爪によってパンチのベースプレートの底面に装着され、前カバー部または後ろカバー部を開閉できるパンチの底面カバーにおいて、
前記前カバー部と後ろカバー部とに、中央の抜きカス収容部と左右縁部の係止爪を仕切る左右一対の隔壁を設けたことを特徴とするパンチの底面カバー。
【請求項２】
上記前カバー部の隔壁と後ろカバー部の隔壁の相互に対向する端部からヒンジ部に沿って外側へ延び、それぞれ底面カバーの側壁へ連続する横隔壁を設けた請求項１記載のパンチの底面カバー。
【請求項３】
前後に接近して対向する上記横隔壁の対向面に、一つ又は複数の縦リブを設けた請求項２記載のパンチの底面カバー。
【発明の詳細な説明】
【技術分野】
【０００１】
この発明は、パンチの底面カバーに関するものであり、特に、用紙の抜きカスの漏出を防止した底面カバーに関するものである。
【背景技術】
【０００２】
書類などの用紙にパンチ穴を加工するパンチは、ダイ穴を有するベースプレートの底面に底面カバーを装着して、ベースプレートと底面カバーとの空間に用紙の円形抜きカスを貯めるようにしている。また、底面カバーを前後二つ折り可能なヒンジ構造とし、底面カバーの一部を開放できるようにして、ベースプレートから底面カバーを取外すことなく抜きカスを廃棄できるようにしたものも知られている（例えば、特許文献１）。
【特許文献１】特開2002-1698号公報（図12、図13、図14）
【発明の開示】
【発明が解決しようとする課題】
【０００３】
パンチの底面カバーは一般に樹脂製であり、ベースプレートの底面へ係止するための爪が一体成形されていて、フック形状の爪を射出成形で形成する関係上、爪の基部周辺にはスライド金型を抜くためのスリットが形成されているので、用紙の抜きカスがスリットから外部へこぼれることがある。また、ヒンジ式の底面カバーにおいては、底面カバーの一部を開けて抜きカスを廃棄しようとしたときに、爪やその他のボスなどに抜きカスが引っ掛かって抜きカスが残ることがある。さらに、ヒンジ式の底面カバーは、ヒンジで接続されている前部と後部の側面部位に若干の隙間があるので、この隙間から抜きカスがこぼれることもある。
【０００４】
そこで、抜きカスの漏出を防止するために解決すべき技術的課題が生じてくるのであり、本発明は、上記課題を解決することを目的とする。
【課題を解決するための手段】
【０００５】
この発明は、上記目的を達成するために提案するものであり、パンチの抜きカスを受ける樹脂製底面カバーであって、前カバー部とヒンジ部と後ろカバー部とからなり、周辺部に形成した係止爪によってパンチのベースプレートの底面に装着され、前カバー部または後ろカバー部を開閉できるパンチの底面カバーにおいて、前記前カバー部と後ろカバー部とに、中央の抜きカス収容部と左右縁部の係止爪を仕切る左右一対の隔壁を設けたことを特徴とするパンチの底面カバーを提供するものである。
【０００６】
また、上記前カバー部の隔壁と後ろカバー部の隔壁の相互に対向する端部からヒンジ部に沿って外側へ延び、それぞれ底面カバーの側壁へ連続する横隔壁を設けたパンチの底面カバーを提供するものである。
【０００７】
また、前後に接近して対向する上記横隔壁の対向面に、一つ又は複数の縦リブを設けたパンチの底面カバーを提供するものである。
【発明の効果】
【０００８】
本発明のパンチの底面カバーは、中央の抜きカス収容部と左右縁部の係止爪やボスなどを隔壁によって仕切っているので、用紙の抜きカスが係止爪周辺のスリットなどから外部へ落ちることがない。
【０００９】
また、前カバー部の隔壁と後ろカバー部の隔壁の相互に対向する端部の夫々と側壁とを横隔壁で接続することにより、前カバー部の隔壁と後ろカバー部の隔壁との隙間から抜きカスがこぼれる虞がさらに低下する。
【００１０】
また、前後に接近して対向する上記横隔壁の対向面に、一つ又は複数の縦リブを設けることにより、対向する横隔壁の間に抜きカスが入っても、縦リブに引っ掛かるため、抜きカスの漏れ出しをほぼ完全に防止できる。
【発明を実施するための最良の形態】
【００１１】
この発明は、パンチの底面カバーの内部を、左右一対の隔壁によって中央の抜きカス収容部と左右縁部の係止爪やボスなどを仕切り、前カバー部の隔壁と後ろカバー部の隔壁の相互に対向する端部からそれぞれ底面カバーの側壁へ連続する横隔壁を設け、横隔壁の対向面に縦リブを設けることにより、用紙の抜きカスが外部へこぼれることを防止することができた。
【実施例１】
【００１２】
図1はパンチ11を示し、基本構造は従来のパンチと同一であって、前後で段差があるベースプレート12上に、左右一対のパンチ軸支持フレーム13が取付けられており、一対のパンチ軸支持フレーム13の前部に門型のレバーハンドル14がハンドル支持ピン15を介してピン結合されている。図には表れていないが、パンチ軸支持フレーム13の底板部に形成されている上下方向のパンチ軸ガイド穴に丸ピン形のパンチ軸が装着されていて、レバーハンドル14とパンチ軸とを水平に貫通するパンチ軸支持ピン16によってレバーハンドル14とパンチ軸が連結されており、レバーハンドル14を押下げれば、パンチ軸が下降してベースプレート12のダイ穴を貫通し、ベースプレート12とパンチ軸支持フレーム13との間に挿入した紙に丸穴が穿孔される。
【００１３】
ベースプレート12の下面には、プラスチック製の底面カバー17が装着されていて、パンチ軸により打抜かれた円形の紙屑は底面カバー17内に落下する。底面カバー17の前部左右両側面にはゲージ挿入口18L, 18Rが形成されており、同図においては右のゲージ挿入口18Rから内部へ細長い板状のゲージ41が挿入されているが、ゲージ41を外側へ引き抜いて、左のゲージ挿入口18Lへ挿入することもでき、ゲージ41を右または左の任意の側に装着することができる。
【００１４】
図2及び図3は底面カバー17を示し、ベースプレート12の下面全体を覆うように形成されたプラスチック製の受け皿型部品であり、前後中央よりもやや後方に形成した全幅に亘る薄肉のヒンジ部19により前カバー部20と後ろカバー部21とに二分された形状となっており、底面カバー17をベースプレート12に装着した状態で後ろカバー部21を開閉することが可能となっていて、後ろカバー部21を開放してベースプレート12と底面カバー17との内部空間に滞積した円形紙屑を排出することができる。
【００１５】
前カバー部20の前部には左右両側面のゲージ挿入口18L, 18Rを結ぶゲージガイド溝22が形成されている。ゲージガイド溝22の上面の前後中間部は、左右両端に亘って開放されており、図2に示すようにゲージガイド溝22の底部を全幅に亘って横断する前後一対の位置決めガイド23R, 23Lが設けられている。
【００１６】
位置決めガイド23R, 23Lの上面には、複数の位置決め凹部24，25が長手方向に配列されていて、前側（図3(d)において下側）の位置決めガイド23Rの位置決め凹部24に対して後ろ側の位置決めガイド23Lの位置決め凹部25は180度回転対称に配列されていて、ゲージ41を左側または右側から挿入したときに、それぞれゲージ41の折り曲げ部42に対しての反対側の端部近傍に設けた下向き突起43（図4に示す）が位置決め凹部24，25に嵌合してゲージ41をA4横（縦辺にパンチ穴を開ける際の用紙の向き）、B5横、A5横（A5縦）、B6横（B5縦）、A6横、A6縦などの所定位置で位置決めする。
【００１７】
底面カバー17のゲージガイド溝22よりも後方（図3(d)において上側）が用紙の抜きカス収容空間26であり、前カバー部20側のゲージガイド溝22の背面左右両端から底面カバー17の後壁にかけて相互の間隔がしだいに縮小する左右一対の隔壁27, 28 が設けられている。後ろカバー部21側の隔壁28の後端は、後ろカバー部21の後部壁面に形成されている左右一対の係止爪29（ベースプレート12の背面に係合する爪）よりも内側に接続しており、隔壁27, 28 により前カバー部20の後部左右両側面にある一対の係止爪30、及び後ろカバー部21の一対の係止爪29は中央の抜きカス収容空間26の外側へ隔離されている。
【００１８】
図5の隔壁部分拡大図に示すように、前カバー部20側の隔壁27と後ろカバー部21側の隔壁28は、夫々ヒンジ部19の箇所で横へ屈折してヒンジ部19と平行に側壁へ達しており、この狭い間隔をもって前後で対向する横隔壁31, 32には複数の縦リブ33が並列に形成されている。同図には、前カバー部20の側壁に配置した係止爪30と後ろカバー部21の後壁に配置した係止爪29の夫々の基部の周囲のスリット34, 35が図示されている。
【００１９】
この底面カバー17は、隔壁27, 28及び横隔壁31, 32を設けたことにより、パンチ操作によって抜きカス収容空間26へ落下した用紙の抜きカスが、スリット34, 35に詰まったり、外部へ落下したりすることがない。また、後ろカバー部21を開けて抜きカスを排出する際は、前カバー部20上に滞積している抜きカスが隔壁27, 28に沿って後方の開口へ円滑に移動して排出され、全部の抜きカスを簡単に除去できる。
【００２０】
また、ヒンジ部19を設けて後ろカバー部21を開閉可能とした構造により、隔壁27, 28は前カバー部20側の隔壁27と後ろカバー部21側の隔壁28とに分断されていて隙間があるが、この隙間に抜きカスが入ったとしても、抜きカスは狭い間隔で対向する横隔壁31, 32  の縦リブ33に引っ掛かって外側への移動を阻止されるので、横隔壁31, 32の隙間を通じて抜きカスが外部へこぼれることも殆どない。
【００２１】
以上説明したように、本発明のパンチは、用紙の抜きカスが外部へ飛散することがなく、抜きカスの排出も容易であって使い勝手がよいものである。
【００２２】
尚、この発明は上記の実施形態に限定するものではなく、この発明の技術的範囲内において種々の改変が可能であり、この発明がそれらの改変されたものに及ぶことは当然である。
【図面の簡単な説明】
【００２３】
【図１】パンチの斜視図。
【図２】パンチの底面カバーの斜視図。
【図３】底面カバーを示し、(a)は背面図、(b)は底面図、(c)は左側面図、(d)は平面図、(e)は右側面図、(f)は正面図。
【図４】ゲージを装着した底面カバーの斜視図。
【図５】底面カバーの隔壁部分の拡大図。
【符号の説明】
【００２４】
11     パンチ
12     ベースプレート
13     パンチ軸支持フレーム
14     レバーハンドル
15     ハンドル支持ピン
16     パンチ軸支持ピン
17     底面カバー
18R, 18L   ゲ−ジ挿入口
19     ヒンジ部
20     前カバー部
21     後ろカバー部
26     抜きカス収容空間
27. 28   隔壁
29. 30   係止爪
31. 32   横隔壁
33     縦リブ
34. 35   スリット
【図１】
2006198728.tif 000003
【図２】
2006198728.tif 000004
【図３】
2006198728.tif 000005
【図４】
2006198728.tif 000006
【図５】
2006198728.tif 000007